(57)【要約】【課題】弦楽器からピックアップにより取り出される音を弦楽器本来の生音にできる限り近づけるようにする。【解決手段】弦楽器Ｍｉを構成する共鳴胴１の内部に、マグネティックピックアップ３を配すると共に、このマグネティックピックアップ３とこの共鳴胴１の表側に位置される板状又は膜状の共鳴体２との間にこの共鳴体２に接しないようにして強磁性体から構成された金属箔４を配させてなる。【選択図】図３
2010191263.tif 000002
【特許請求の範囲】
【請求項１】
共鳴胴の内部に、マグネティックピックアップを配すると共に、このマグネティックピックアップとこの共鳴胴の表側に位置される板状又は膜状の共鳴体との間にこの共鳴体に接しないようにして強磁性体から構成された金属箔を配させてなることを特徴とする弦楽器。
【請求項２】
共鳴胴の内側部間に架設された桟体によりマグネティックピックアップと金属箔とが支持されていることを特徴とする請求項１に記載の弦楽器。
【請求項３】
共鳴体の内面に一面を向き合わせるようにして金属箔が配されていると共に、この両面間の間隔が１ｍｍ〜３ｍｍの範囲となるようにしてあることを特徴とする請求項１又は請求項２に記載の弦楽器。
【発明の詳細な説明】
【技術分野】
【０００１】
この発明は弦楽器の改良に関する。
【背景技術】
【０００２】
弦楽器にあっては、この弦楽器の音、つまり、弦をはじいたり、こすったりすることによって生じる振動を、電気的に出力させるために、ピックアップマイク（一般にピックアップと称される。）が取り付けられて使用される場合が少なくない。
【０００３】
かかるピックアップは、一般に、弦楽器の共鳴胴に取り付けられる。かかるピックアップは典型的には、例えばアコースティックギターであれば表甲、三味線であれば皮に取り付けられる。かかる表甲や皮の振動は、ピックアップによって電気信号として検出され、アンプを介して増幅された音となる。（特許文献１参照）
【０００４】
しかるに、弦楽器からピックアップによって取り出された音は、本来の音に比べて延びた音となる傾向がある。（エレキギターの音のように）こうしたことから、ピックアップを備えた弦楽器からこのピックアップにより取り出される音を弦楽器本来の生音にできる限り近づけるようにすることが望まれていた。
【先行技術文献】
【特許文献】
【０００５】
【特許文献１】実公平７−３１２７５号公報
【発明の概要】
【発明が解決しようとする課題】
【０００６】
この発明が解決しようとする主たる問題点は、弦楽器からピックアップにより取り出される音を弦楽器本来の生音にできる限り近づけるようにする点にある。
【課題を解決するための手段】
【０００７】
前記課題を達成するために、この発明にあっては、弦楽器を、共鳴胴の内部に、マグネティックピックアップを配すると共に、このマグネティックピックアップとこの共鳴胴の表側に位置される板状又は膜状の共鳴体との間にこの共鳴体に接しないようにして強磁性体から構成された金属箔を配させてなるものとした。
【０００８】
マグネティックピックアップは、コイルと永久磁石を組み合わせてなり、この永久磁石の磁界の変化を電気信号として検出する。共鳴体の振動により共鳴胴内に配された金属箔が振動すると前記磁界に変化が生じるため、この振動が電気信号として検出・出力される。共鳴体に単純に取り付けた金属の振動をマグネティックピックアップで検出するようにすると、弦楽器本来の生音に比べて延びた音が取り出されてしまう。そこで、共鳴体とマグネティックピックアップとの間に共鳴体に接しないように金属板を配置することを試みた。しかし、共鳴体に接しないように配された金属板は共鳴体の振動によりほとんど振動せず、共鳴体の振動はマグネティックピックアップにより検出できなかった。そこで、金属板を金属箔に代えたところ、マグネティックピックアップにより共鳴体の振動を電気信号として検出できると共に、弦楽器本来の生音に近い音を取り出すことができた。
【０００９】
かかるマグネティックピックアップと金属箔は、共鳴胴の内側部間に架設させた桟体により、前記のように都合良く共鳴胴内に配させることができる。
【００１０】
また、前記金属箔は共鳴体の内面にこの金属箔の一面を向き合わせるようにして配させ、さらに、この両面間の間隔が１ｍｍ〜３ｍｍの範囲となるようにしておくことが好ましい。
【発明の効果】
【００１１】
この発明によれば、弦楽器からマグネティックピックアップにより取り出される音を弦楽器本来の生音にできる限り近づけるようにすることができる。
【図面の簡単な説明】
【００１２】
【図１】図１はこの発明を適用して構成された三味線の共鳴胴の正面構成図である。
【図２】図２は図１におけるＡ−Ａ線位置での断面構成図である。
【図３】図３は図２の要部拡大構成図である。
【図４】図４はこの発明を適用して構成されたアコースティックギターの共鳴胴の正面構成図である。
【図５】図５におけるＢ−Ｂ線位置での断面構成図である。
【発明を実施するための形態】
【００１３】
以下、図１〜図５に基づいて、この発明を適用して構成された弦楽器Ｍｉの典型例について説明する。図１〜図３はこの発明を三味線に適用した例を、図４及び図５はこの発明をギターに適用した例を示している。
【００１４】
この実施の形態にかかる弦楽器Ｍｉは、共鳴胴１を構成する共鳴体２に弦１ａを支持する駒を備えており、この弦１ａをはじいいたり、こすったりすることで音を出すようになっている。もっともこの発明は、各種の弦楽器Ｍｉ、具体的には、アコースティックギター、クラシックギター、バイオリン、マンドリン、チェロ、ウクレレ、ビオラ、コントラバス、大正琴、三味線、蛇味線、びわなどに適用することができるものである。
【００１５】
そして、この実施の形態にかかる弦楽器Ｍｉにあっては、共鳴胴１の内部にマグネティックピックアップ３を備えており、共鳴体２に伝えられる弦１ａの振動を、マグネティックピックアップ３を介して電気信号として検出してこれを出力できるようになっている。
【００１６】
そして、この実施の形態にかかる弦楽器Ｍｉにあっては、かかるマグネティックピックアップ３とこの共鳴胴１の表側に位置される板状又は膜状の共鳴体２との間に、この共鳴体２に接しないようにして強磁性体から構成された金属箔４を配させている。
【００１７】
かかるマグネティックピックアップ３は、コイルと永久磁石を組み合わせてなり、この永久磁石の磁界の変化を電気信号として検出する。共鳴体２の振動により共鳴胴１内に配された金属箔４が振動すると前記磁界に変化が生じるため、この振動が電気信号として検出・出力される。共鳴体２に単純に取り付けた金属の振動をマグネティックピックアップ３で検出するようにすると、弦楽器Ｍｉ本来の生音に比べて延びた音が取り出されてしまう。一方、共鳴体２とマグネティックピックアップ３との間に共鳴体２に接しないように金属板を配置しただけではかかる金属板は共鳴体２の振動によりほとんど振動せず、共鳴体２の振動はマグネティックピックアップ３により検出できない。共鳴体２との間に間隔を開けてこの共鳴体２とマグネティックピックアップ３との間に金属箔４を配すれば、共鳴体２の振動により金属箔４を適切に振動させることができ、マグネティックピックアップ３により共鳴体２の振動を電気信号として検出できると共に、弦楽器Ｍｉ本来の生音に近い音を取り出すことができる。すなわち、かかるマグネティックピックアップ３を介して電気的に出力される音を、その弦楽器Ｍｉから自然に生じる音、いわゆる生音（ピックアップを経ないで弦楽器Ｍｉの共鳴胴１から空気振動によって自然に伝わる音）にできる限り近づけることができる。つまり、アコースティックギターであればアコスティックギター本来の音を、三味線であれば三味線本来の音を、マグネティックピックアップ３を介して電気的に出力させることができる。
【００１８】
図示の例では、かかるマグネティックピックアップ３は、図示しないコイルと永久磁石を備えると共に、これらの外側を合成樹脂で覆ってなるものとなっている。図中符号３ａで示されるのは、かかるマグネティックピックアップ３の検出した電気信号を外部に出力させるための配線である。
【００１９】
図示の例では、かかるマグネティックピックアップ３と金属箔４は、共鳴胴１の内側部間に架設させた桟体１ｃにより、この共鳴胴１内に都合良く配されている。
【００２０】
三味線の適用例（図１〜図３）では、桟体１ｃは、その右端を共鳴胴１の右側の内側部に形成された凹部１ｉにはめ込むと共に、その左端を共鳴胴１の左側の内側部に形成された凹部１ｉにはめ込んで、共鳴胴１の表側、つまり弦１ａの張り込み側に位置される膜状の共鳴体２としての皮の内面２ａ下に配されている。図示の例では、桟体１ｃは、角棒状をなす基部１ｄの両端間に共鳴体２の側に向けて突き出す台状部１ｅを形成させてなる。台状部１ｅの幅は基部１ｄより広くなっており、図示の例では、この台状部１ｅにおける共鳴胴１の下方（三味線の棹の取り付け側と反対の側）に向いた下側面１ｇは基部１ｄの下側面１ｈよりも下方に突き出されている。マグネティックピックアップ３は、この台状部１ｅにおける下方への突きだし箇所に形成された前記共鳴体２側に開放した彫り込み部１ｆにその裏側を納めてはめ込まれており、弦１ａの張り込み方向に対しマグネッティックピックアップ３の長さ方向が略直交する向きとなるように配されている。
【００２１】
アコースティックギターの適用例（図４及び図５）では、桟体１ｃは、その右端を共鳴胴１の右側の内側部に固定されると共に、その左端を共鳴胴１の左側の内側部に固定されて、共鳴胴１の表側、つまり弦１ａの張り込み側に位置される膜状の共鳴体２としての表甲（表板）の内面２ａ下に配されている。このアコースティックギターの適用例における桟体１ｃの構成は三味線の適用例と実質的に同一となっている。
【００２２】
図示の例では、かかる桟体１ｃの台状部１ｅにおける前記共鳴体２側に向けられた表面に枠状体５が取り付けられていると共に、この枠状体５の表面に枠内を覆うように金属箔４が貼り付けられている。かかる枠状体５は、その枠内にマグネティックピックアップ３を納め、かつ、台状部１ｅの表面への取り付け状態において貼り込まれた金属箔４をマグネティックピックアップ３の表面３ｂに接しさせない厚さを備えている。そして、図示の例では、台状部１ｅの表面に枠内にマグネティックピックアップ３を納めるようにして枠状体５が接着などして止着され、このように止着される枠状体５によってマグネティックピックアップ３の表面３ｂを金属箔４により覆わせている。
【００２３】
すなわち、前記金属箔４は前記共鳴体２の内面２ａにこの金属箔４の一面４ａを向き合わせるようにして配されると共に、この両面２ａ、４ａ間に間隔が形成されている。かかる両面２ａ、４ａ間の間隔は１ｍｍ〜３ｍｍの範囲となるようにしておくことが好ましい。また、金属箔４としては、厚さ２０μｍ程度の鉄箔などを利用することが好ましい。典型的には、三味線の場合、共鳴体２としての皮の厚さは１ｍｍ程度であり、この皮と金属箔４との間に１ｍｍ〜３ｍｍの間隔を形成させ、また、マグネティックピックアップ３の表面３ｂと金属箔４の他面４ｂとの間にも１ｍｍ程度の間隔を形成させておく。
【００２４】
なお、アコースティックギターの場合、共鳴体２としての表甲の厚さは２ｍｍ〜３ｍｍ程度であり、この表甲皮と金属箔４との間に１ｍｍ〜３ｍｍの間隔を形成させ、また、マグネティックピックアップ３と金属箔４の他面３ｂとの間にも１ｍｍ程度の間隔を形成させておく。
【符号の説明】
【００２５】
Ｍｉ  弦楽器
１  共鳴胴
２  共鳴体
３  マグネティックピックアップ
４  金属箔
【図１】
2010191263.tif 000003
【図２】
2010191263.tif 000004
【図３】
2010191263.tif 000005
【図４】
2010191263.tif 000006
【図５】
2010191263.tif 000007